(57)【要約】  屋外で使用するための照明装置は、照明部とソケット部とを備え、照明部は、照明機器と、第１の電気接続部と、第１の固定部材とを備える。ソケット部は、第２の電気接続部と第２の固定部材とを備え、第１の電気接続部および第２の電気接続部は、照明機器に電力を供給するために、閉位置で互いと接続するように配置される。さらに、第１の固定部材および第２の固定部材は、前記閉位置において、照明部をソケット部に固定および固定解除するために配置される。さらに、本発明の照明装置は、照明部が第１の締結装置を備え、ソケット部が第２の締結装置を備え、それら締結装置が配置されることを特徴とする。さらに、照明部は第１の案内手段を備え、ソケット部は第２の案内手段を備え、それらは相互作用するように配置される。
2015506571.tif 000002
【特許請求の範囲】
【請求項１】
屋外使用のための照明装置（１０１〜１０４、１０６）であって
前記照明装置は照明部（２０１〜２０６）及びソケット部（３０１〜３０２、３０４、３０６〜３０８）を備え、前記照明部（２０１〜２０６）は、照明機器、第１の電気接続部（７０２、７０５〜７０６）、および第１の固定部材（９０２、９０６）を備えており、前記ソケット部（３０１〜３０２、３０４、３０６〜３０８）は第２の電気接続部（８０２、８０６〜８０８）および第２の固定部材（１００２、１００６）を備えており、前記第１の電気接続部（７０２、７０５〜７０６）および前記第２の電気接続部（８０２、８０６〜８０８）は、前記照明機器に電力を供給するために、閉位置（２３０６）で互いと接続するように配置され、さらに、前記第１の固定部材（９０２、９０６）および前記第２の固定部材（１００２、１００６）は、前記閉位置（２３０６）において、前記照明部（２０１〜２０６）を前記ソケット部（３０１〜３０２、３０４、３０６〜３０８）に固定および固定解除するために配置される、屋外使用のための照明装置（１０１〜１０４、１０６）において、
前記照明部（２０１〜２０６）は第１の締結装置（１５０３、１５０６）を備え、前記ソケット部（３０１〜３０２、３０４、３０６〜３０８）は第２の締結装置（２２０６）を備え、前記第１の締結装置（１５０３、１５０６）および前記第２の締結装置（２２０６）は、前記ソケット部（３０１〜３０２、３０４、３０６〜３０８）への前記照明部（２０１〜２０６）の接続の間に、接続位置において、第１の開位置（２１０６）で前記照明部（２０１〜２０６）と前記ソケット部（３０１〜３０２、３０４、３０６〜３０８）との間の回転相対移動を前記接続位置の周りで方位方向および仰角方向の両方において可能にすることによって、ならびに、前記接続が前記照明部（２０１〜２０６）と前記ソケット部（３０１〜３０２、３０４、３０６〜３０８）との間の長手方向での相対移動を同時に固定することによって、相互作用するように配置され、
前記照明部（２０１〜２０６）は第１の案内手段（１２０３〜１２０４）を備え、前記ソケット部（３０１〜３０２、３０４、３０６〜３０８）は第２の案内手段（１８０４、１８０７〜１８０８）を備え、前記第１の案内手段（１２０３〜１２０４）および前記第２の案内手段（１８０４、１８０７〜１８０８）は、少なくとも前記ソケット部（３０１〜３０２、３０４、３０６〜３０８）への前記照明部（２０１〜２０６）の接続において、前記第１の開位置（２１０６）よりも閉じられた第２の開位置（４０１〜４０２、４０６）で前記照明部（２０１〜２０６）と前記ソケット部（３０１〜３０２、３０４、３０６〜３０８）との間の相対移動を前記接続位置の周りで仰角方向のみにおいて可能にすることによって、相互作用するように配置されることを特徴とする、照明装置（１０１〜１０４、１０６）。
【請求項２】
前記第１の案内手段（１２０３〜１２０４）は前記第１の締結装置（１５０３、１５０６）に含まれ、前記第２の案内手段（１８０４、１８０７〜１８０８）は前記第２の締結装置（２２０６）に含まれる、請求項１に記載の照明装置（１０１〜１０４、１０６）。
【請求項３】
前記第１の案内手段（１２０３〜１２０４）および前記第２の案内手段（１８０４、１８０７〜１８０８）は、前記第１の締結装置（１５０３、１５０６）および前記第２の締結装置（２２０６）から所定の距離に設けられる、請求項１または２に記載の照明装置（１０１〜１０４、１０６）。
【請求項４】
前記第１の固定部材（９０２、９０６）および前記第２の固定部材（１００２、１００６）は、前記第１の締結装置（１５０３、１５０６）および前記第２の締結装置（２２０６）から所定の距離に設けられる、請求項１から３のいずれか一項に記載の照明装置（１０１〜１０４、１０６）。
【請求項５】
前記第１の締結装置（１５０３、１５０６）は、内部配置接触面（６０１〜６０３、６０６）を有する後壁（１６０３）を備え、
前記照明装置は第２の締結装置（２２０６）をさらに備え、前記第２の締結装置（２２０６）は、前記ソケット部（３０１〜３０２、３０４、３０６〜３０８）に設けられると共に前記ソケット部（３０１〜３０２、３０４、３０６〜３０８）からの突出ソケット部（５０１〜５０２、５０６〜５０８）を備え、  前記突出ソケット部（５０１〜５０２、５０６〜５０８）および前記内部配置接触面（６０１〜６０３、６０６）は、前記照明部（２０１〜２０６）が前記第１の開位置（２１０６）から前記第２の開位置（４０１〜４０２、４０６）へと移動するときに、方位方向および仰角方向の両方において前記照明部（２０１〜２０６）が前記ソケット部（３０１〜３０２、３０４、３０６〜３０８）に対する回転移動をその周りに実行できる接触の位置であって、前記照明部（２０１〜２０６）が前記第２の開位置（４０１〜４０２、４０６）から前記閉位置（２３０６）へと移動するときに、仰角方向において前記照明部（２０１〜２０６）が前記ソケット部（３０１〜３０２、３０４、３０６〜３０８）に対する回転移動をその周りに実行できる接触の位置を形成するために、相互作用できる、請求項１から４のいずれか一項に記載の照明装置（１０１〜１０４、１０６）。
【請求項６】
前記照明装置は、前記第１の固定部材（９０２、９０６）を備える前記第１の固定部材（９０２、９０６）を備え、
前記照明装置は、前記第２の固定部材（１００２、１００６）を備える前記ソケット部（３０１〜３０２、３０４、３０６〜３０８）を備え、
前記第１の固定部材（９０２、９０６）および／または前記第２の固定部材（１００２、１００６）は、所定の負荷を受けるときに閉じることおよび開くことを許容する弾性手段から成る、請求項１から５のいずれか一項に記載の照明装置（１０１〜１０４、１０６）。
【請求項７】
前記第１の案内手段（１２０３〜１２０４）は、上向きに先細となる上方壁（１３０３〜１３０４）と、下側で実質的に平行な下方壁（１４０３〜１４０４）とを備える筺体によって構成され、
前記第２の案内手段（１８０４、１８０７〜１８０８）は、前記ソケット部（３０１〜３０２、３０４、３０６〜３０８）の長手方向に対して実質的に平行な前記ソケット部の外側面によって構成され、前記外側面は、上向きに先細となる上方外側壁（２５０７〜２５０８）と、下側で実質的に平行な下方外側壁（２６０７〜２６０８）とを備え、前記第１の案内手段（１２０３〜１２０４）は、前記第２の案内手段（１８０４、１８０７〜１８０８）と相互作用するように適合される、請求項１から６のいずれか一項に記載の照明装置（１０１〜１０４、１０６）。
【請求項８】
前記照明部（２０１〜２０６）の前記筺体はアルミニウムまたはプラスチック製である、請求項１から７のいずれか一項に記載の照明装置（１０１〜１０４、１０６）。
【請求項９】
前記第１の電気接続部（７０２、７０５〜７０６）は接地端子を備え、前記第２の電気接続部（８０２、８０６〜８０８）は、前記接地端子と相互作用するように適合された端子を備える、請求項１から８のいずれか一項に記載の照明装置（１０１〜１０４、１０６）。
【請求項１０】
前記接地端子が、他の端子よりも前記ソケット部（３０１〜３０２、３０４、３０６〜３０８）の突出ソケット部（５０１〜５０２、５０６〜５０８）のより近くに設けられることで、前記接地端子は、前記照明部（２０１〜２０６）の前記電気接続部におけるすべての接触のうち、先ず前記ソケット部（３０１〜３０２、３０４、３０６〜３０８）に接続され、前記第２の電気接続部（８０２、８０６〜８０８）は、他の端子よりも前記ソケット部（３０１〜３０２、３０４、３０６〜３０８）の前記突出ソケット部（５０１〜５０２、５０６〜５０８）のより近くに設けられた前記接地端子と相互作用するように適合された端子を備える、請求項９に記載の照明装置（１０１〜１０４、１０６）。
【請求項１１】
請求項１から１０のいずれか一項に記載の照明装置を備え、前記ソケット部（３０１〜３０２、３０４、３０６〜３０８）に対して配置された保持器（１１０２、１１０６〜１１０８）を備える街路照明システム。
【請求項１２】
前記保持器（１１０２、１１０６〜１１０８）は灯柱にさらに配置される、請求項１１に記載の街路照明システム。
【請求項１３】
前記照明部（２０１〜２０６）に配置された把持装置を備え、前記把持装置は、ロボットが、前記照明部（２０１〜２０６）を前記ソケット部（３０１〜３０２、３０４、３０６〜３０８）に取り付ける、および、前記照明部（２０１〜２０６）を前記ソケット部（３０１〜３０２、３０４、３０６〜３０８）から取り外す際に把持するように意図されており、前記把持装置は、前記照明部（２０１〜２０６）と前記ロボットとの間の回転相対移動を、方位方向および仰角方向の両方において可能にするように配置される、請求項１から１２のいずれか一項に記載の照明装置（１０１〜１０４、１０６）。
【請求項１４】
屋外使用のための照明装置（１０１〜１０４、１０６）を組み立てるための方法であって、
前記照明装置（１０１〜１０４、１０６）は照明部（２０１〜２０６）及びソケット部（３０１〜３０２、３０４、３０６〜３０８）を備え、前記照明部（２０１〜２０６）は、照明機器、第１の電気接続部（７０２、７０５〜７０６）、および第１の固定部材（９０２、９０６）を備えており、前記ソケット部（３０１〜３０２、３０４、３０６〜３０８）は第２の電気接続部（８０２、８０６〜８０８）および第２の固定部材（１００２、１００６）を備えており、前記第１の電気接続部（７０２、７０５〜７０６）および前記第２の電気接続部（８０２、８０６〜８０８）は、前記照明機器に電力を供給するために、閉位置（２３０６）で互いと接続し、さらに、前記第１の固定部材（９０２、９０６）および前記第２の固定部材（１００２、１００６）は、前記閉位置（２３０６）において、前記照明部（２０１〜２０６）を前記ソケット部（３０１〜３０２、３０４、３０６〜３０８）に固定および固定解除する、屋外使用のための照明装置（１０１〜１０４、１０６）を組み立てるための方法において、
前記照明部（２０１〜２０６）は前記ソケット部（３０１〜３０２、３０４、３０６〜３０８）と逆に移動され、前記照明部（２０１〜２０６）は第１の締結装置（１５０３、１５０６）を備え、前記ソケット部（３０１〜３０２、３０４、３０６〜３０８）は第２の締結装置（２２０６）を備え、前記第１の締結装置（１５０３、１５０６）および前記第２の締結装置（２２０６）は、前記ソケット部（３０１〜３０２、３０４、３０６〜３０８）への前記照明部（２０１〜２０６）の接続の間に、接続位置において、第１の開位置（２１０６）で前記照明部（２０１〜２０６）と前記ソケット部（３０１〜３０２、３０４、３０６〜３０８）との間の回転相対移動を前記接続位置の周りで方位方向および仰角方向の両方において可能にすることによって、ならびに、前記接続が前記照明部（２０１〜２０６）と前記ソケット部（３０１〜３０２、３０４、３０６〜３０８）との間の長手方向での相対移動を同時に固定することによって、相互作用し、
前記照明部（２０１〜２０６）は第１の案内手段（１２０３〜１２０４）を備え、前記ソケット部（３０１〜３０２、３０４、３０６〜３０８）は第２の案内手段（１８０４、１８０７〜１８０８）を備え、前記第１の案内手段（１２０３〜１２０４）および前記第２の案内手段（１８０４、１８０７〜１８０８）は、前記ソケット部（３０１〜３０２、３０４、３０６〜３０８）への前記照明部（２０１〜２０６）のの接続において、前記照明部（２０１〜２０６）が、前記照明部（２０１〜２０６）と前記ソケット部（３０１〜３０２、３０４、３０６〜３０８）との間の相対移動を前記接続位置の周りで仰角方向のみにおいて可能にすることによって、前記第１の開位置（２１０６）よりも閉じられた第２の開位置（４０１〜４０２、４０６）から閉じた位置（２３０６）へと移動されるとき、相互作用することを特徴とする、方法。
【発明の詳細な説明】
【技術分野】
【０００１】
本発明は、照明部およびソケット部を備える屋外で使用するための照明装置であって、容易な取り付けおよび取り外しのための案内手段および締結装置を用いて、照明部がソケット部に容易に配置されるように適合された照明装置に関する。
【背景技術】
【０００２】
街路灯取付具における電球の交換は、従来から人によって行われており、人が、昇降機または同様物で街路灯取付具まで持ち上げられ、手作業で照明取付具を開け、次に電球を交換する。これには、いくつかの側面において問題がある。
【０００３】
最も明らかな側面は、作業が相当の高さにおいて実施されるときに、作業者が曝される危険性である。街灯柱の近辺において人員を高所に持ち上げることに伴う別の問題は、これらの街灯柱が架空電線路の近くにある場合に、一般的に架空電線路は絶縁されていないため、接触すると極めて危ないことである。これは、さらなる重大な危険性を表している。
【０００４】
高所で実施される作業に加えて、街灯柱での作業は、街灯柱が完全に固定されていないため、さらなる問題を引き起こすことになる。街灯柱が非常に高いことや街路灯取付具がしばしばかなりの重量であることに加えて、街灯柱が天候や風に曝されて受ける損傷により、街灯柱は揺れる性質のものとなる。その結果、多くの場合で、街灯柱自体が、例えば街路灯取付具の交換といった際に、支持できなくなる。
【０００５】
また、照明機器／電球または街路灯取付具全体を交換する業務は、昇降機または同様物が街灯柱同士の間で移動されるときに、作業者を各業務の間に降下させる必要があるため、比較的長い時間を必要とする。ほとんど場合、昇降機または同様物は、街路照明が照らすように意図された車道上などを走行させる必要がある。この装置は、通常、非常に遅く、また、車道上で広い場所を必要とし、これは、昇降機または同様物と、作業を実施すると共に昇降機と運転席との間で移動する必要のある者とが衝突される危険性があるため、問題である。人員については、移動していない昇降機または同様物が持ち上げられた位置で衝突された場合、特に危険である。また、交通および交通の流れは、昇降機の存在によって悪影響を受け、それが、他の事故の危険性を増加させる可能性がある。
【０００６】
交通への影響を最小限とするために、作業は有利には夕刻から夜の時間に実施されるが、これは、実施する人員の観点からすれば常に好ましいとは限らない。
【０００７】
これらすべては、照明機器／電球または街路灯取付具全体を交換するために必要とされる時間が、絶対的な最小限に保たれるべきであることを暗示している。
【０００８】
照明機器／電球を交換するために必要とされる時間を最小限にする第１の段階は、照明機器／電球だけでなくより大きい装置を交換してしまうことである。より大きい装置は、照明機器／電球だけよりもしばしば堅牢に作ることができるし、取り付けおよび取り外しが容易となるように具体的に適合させることができる。
【発明の概要】
【発明が解決しようとする課題】
【０００９】
本発明の目的は、照明装置、特には、湿気、風、および他の外的ストレスに耐える照明取付具の能力に多大な要求を提起する高所に据え付けられる街路照明を、屋外で組み立てるための代替の手順を提供することである。本発明の照明装置は、これに持ちこたえるように設計される。屋外で使用するための照明装置は、例えば、容易で時間効率のよい組立および分解の可能性に関して、特別な要求を提起する。
【課題を解決するための手段】
【００１０】
本発明による課題の解決策が、請求項の特徴部に記載されている。さらなる請求項は、本発明の有利な態様およびさらなる発展形態を対象としている。
【００１１】
前述の問題は、照明部およびソケット部を備える屋外で使用するための照明装置を用いることで解決される。照明部は、照明機器、第１の電気接続部、および第１の固定部材を備える。ソケット部は第２の電気接続部および第２の固定部材を備え、第１の電気接続部および第２の電気接続部は、照明機器に電力を供給するために、閉位置で互いと接続するように配置され、さらに、第１の固定部材および第２の固定部材は、前記閉位置において、照明部をソケット部に固定および固定解除するために配置される。閉位置は、第１の固定部材および第２の固定部材によってソケット部に固定された照明部を含んでいる。閉位置において、照明部はソケット部と実質的に平行である。さらに、本発明の照明装置は、照明部が第１の締結装置を備え、ソケット部が第２の締結装置を備えることを特徴とする。これら第１の締結装置および第２の締結装置は、少なくとも照明部のソケット部への接続において、第１の開位置で照明部とソケット部との間の回転相対移動を方位方向および仰角方向の両方において可能にすることによって、ならびに、照明部とソケット部との間の長手方向での相対移動を同時に固定することによって、相互作用するように配置される。さらに、照明部は第１の案内手段を備え、ソケット部は第２の案内手段を備え、第１の案内手段および第２の案内手段は、少なくとも照明部のソケット部への接続において、第２の開位置で照明部とソケット部との間の相対移動を仰角方向のみにおいて可能にすることによって、相互作用するように配置され、第２の最小距離が第１の最小距離より短い。この構造は、照明部をソケット部に容易に配置させることができる。この場合、方位方向は、水平面における点の周りの移動を表し、仰角方向は、鉛直面における点の周りの移動を表す。
【００１２】
照明装置に関する本発明の一例によれば、第１の開位置は、照明部の長手方向中心線とソケット部の長手方向中心線との間の、第１の締結装置および第２の締結装置からの最も長い距離で取られた第１の最小距離に関連する。第２の開位置は、照明取付具の長手方向中心線とソケット部の長手方向中心線との間の、第１の締結装置および第２の締結装置からの最も長い距離で取られた第２の最小距離に関連する。第２の最小距離は第１の最小距離より小さい。これは、照明部の第１の締結装置のみがソケット部の第２の締結装置と相互作用しているとき、照明部がソケット部に関して第１の開位置にあるとして表すこともできる。照明部は、ソケット部に近づいたとき、その第２の開位置にあり、照明部の第１の案内手段はソケット部の第２の案内手段と相互作用する。照明部は、ソケット部に配置されたとき、ソケット部に関して閉位置にある。
【００１３】
これは、照明部がソケット部に関して適応できる次の３つの異なる位置を明確にすることによって、明らかにできる。
第１の開位置は、少なくとも照明部の第１の締結装置とソケット部の第２の締結装置とが相互作用することで、水平方向における回転運動および鉛直方向における回転運動の両方を通じて、照明部がソケット部に対して案内されることを含む。
第２の開位置は、少なくとも照明部の第１の案内手段とソケット部の第２の案内手段とが相互作用することで、水平方向における回転運動を通じて、照明部がソケット部に対して案内され、照明部とソケット部との間の距離が、第１の開位置においてよりも第２の開位置において小さいことを含む。
閉位置では、照明部がソケット部と実質的に平行であり、照明部が第１の固定部材および第２の固定部材を用いることでソケット部に固定され、さらに、照明部に電力を供給するために、照明部の第１の電気接続部がソケット部の第２の電気接続部に接続される。
【００１４】
その結果、第１の開位置は、ソケット部への照明部の組付けの第１の局面を構成する。第２の開位置は、照明部とソケット部との間の距離が第１の開位置の場合よりも小さいとき、ソケット部への照明部の組付けの後の段階で生じる。閉位置では、照明部はソケット部に配置される。
【００１５】
本発明の有利な発展形態では、第１の案内手段は第１の締結装置に含まれ、第２の案内手段は第２の締結装置に含まれる。
【００１６】
本発明の別の有利な発展形態では、第１の案内手段および第２の案内手段は、第１の締結装置および第２の締結装置から所定の距離に設けられる。
【００１７】
本発明の有利な発展形態では、第１の固定部材および第２の固定部材は、第１の締結装置および第２の締結装置から所定の距離に設けられる。
【００１８】
本発明のさらなる有利な展開では、照明部は第１の締結装置を備え、その第１の締結装置は、内部配置接触面（ｉｎｔｅｒｎａｌｌｙ  ｌｏｃａｔｅｄ  ｃｏｎｔａｃｔ  ｓｕｒｆａｃｅ）を有する後壁を備える。後壁は、有利には、その下方部にフック部を備えており、曲げられた後壁、または、後壁の下方部に配置されている１つもしくは複数の別々の部品のいずれかから成る。また、後壁は、フック部がなくてもよい。
【００１９】
照明装置は、ソケット部に設けられると共にソケット部からの突出ソケット部を備える第２の締結装置をさらに備える。突出ソケット部は、照明部の後壁とうまく嵌まり合う形を有している。さらに、突出ソケット部は、照明部もしくはソケット部と実質的に同じ幅であるか、または、照明部とソケット部とのいずれかよりも狭いかのいずれかであり得る。突出ソケット部は、１つの連続する部品の代わりに、複数の突出する部品から組み立てられてもよい。突出ソケット部および内部配置接触面は、照明部が、第１の開位置から第２の開位置へと移動するときに、方位方向および仰角方向の両方においてソケット部に対する回転移動をその周りに実行できる接触の位置であって、照明部が、第２の開位置から閉位置へと移動するときに、仰角方向においてソケット部に対する回転移動をその周りに実行できる接触の位置を形成するために、相互作用できる。
【００２０】
本発明の有利な例では、第１の締結装置の内部配置接触面は、照明部から見たとき、後に向かって先細な形であり、第２の締結装置の突出ソケット部は、ソケット部から見たとき、後に向かって尖った形を有する。第１の締結装置の後に向かって先細な形と、第２の締結装置の後に向かって尖った形とは、照明部が第１の開位置でソケット部に対して配置されると、互いと相互作用して水平方向および鉛直方向において嵌まるように適合されている。
【００２１】
本発明の他の有利な例では、仰角方向における相対移動がその周りに起こり得る軸線を形成するために、照明部の２つの位置がソケット部の２つの位置と相互作用する。
【００２２】
本発明の一例では、照明部は、照明部の対称面の両側にその対称面から等距離に配置された２つの照明部位置を含む。これら２つの照明部位置は、第１の締結装置に近接して、上向きに先細となる筺体の内部に形成された内側面に配置される。２つの照明部位置は、ソケット部の外側面に沿って配置されると共にソケット部の対称面の両側にその対称面から等距離に配置された２つのソケット部位置と相互作用し、これら２つの照明部位置と２つのソケット部位置とは、相互作用でき、照明部がその第２の開位置にあるときに照明部とソケット部との間の仰角方向のみの相対移動がその周りに起こり得る回動軸線を形成できる。
【００２３】
本発明の有利な例では、照明部は第１の固定部材を備え、ソケット部は第２の固定部材を備え、第１の固定部材および／または第２の固定部材は、所定の負荷を受けるときに閉じることおよび開くことを許容する弾性手段から成る。
【００２４】
本発明の有利な例では、これらの弾性手段は、少なくとも１つの金属製の板バネによって構成される。弾性手段は、複数の板バネによって構成されてもよく、また、照明部の長手方向に対して、および、照明部の中心線に対しても直角な照明部の方向である照明部の幅方向において実質的に中央に配置されてもよく、照明部の縁のいずれかに向かってずらされてもよく、照明部の中心線と実質的に平行であってもよく、または、照明部の中心線の周りに対称であってもよい。
【００２５】
本発明の可能な例では、弾性手段は、照明部がその第２の開位置からその閉位置へと移動されるとき、ソケット部に対する照明部の配置において、ソケット部にもたれることができ、それによって、弾性手段は、長手方向において照明部をソケット部にさらに固定するソケット部の前方の当接面に力を働かせる。
【００２６】
本発明の有利な例では、第１の案内手段は、上向きに先細となる上方壁と、実質的に平行な下方壁とを備える筺体によって構成され、第２の案内手段は、ソケット部の長手方向に対して実質的に平行なソケット部の外側面によって構成され、外側面は、上向きに先細となる上方外側壁と、実質的に平行な下方外側壁とを備え、第１の案内手段は、第２の案内手段と相互作用するように適合される。第１の案内手段および第２の案内手段の相互作用する形は、第１の案内手段および第２の案内手段の両方が一致した先細となる表面を有する上方部と、実質的に平行な表面を持つ下方部とを備える場合、照明部とソケット部とは、照明部が仰角方向において第２の開位置から閉位置へと移動するとき、そしておそらく、照明部が仰角方向において第１の開位置から第２の開位置へと移動するときでさえ、幅方向において実質的に平行となるように、照明部をソケット部に向かって案内させる。第１の案内手段の下方の実質的に平行な壁は、若干上向きに先細であってもよく、また、第２の案内手段の実質的に平行な下方外側壁も、若干上向きに先細であってもよい。
【００２７】
他の有利な例では、照明部の筺体は、アルミニウムまたはプラスチック製であるが、照明装置が曝される外的ストレスに耐えることができる他の材料製であってもよい。
【００２８】
照明部をソケット部に関して正確に位置付けることができることは、多くの場合、照明部をソケット部に対して配置できることの必須条件であるが、それは、ソケット部が配置の最初の段階で照明部に最適に揃えられないためである。これは、ソケットが、例えば柱もしくは他の不完全に固定された構造物に、さらに取り付けられる場合、および／または、照明部が、ロボットなどの助けでソケット部に配置される場合に、特に重要である。
【００２９】
他の有利な例では、第１の電気接続部は接地端子を備え、第２の電気接続部は、接地端子と相互作用するように適合された端子を備える。
【００３０】
本発明のさらなる有利な例では、接地端子が、他の端子よりもソケット部の突出ソケット部のより近くに設けられることで、接地端子は、照明部の電気接続部におけるすべての接触のうち、先ずソケット部に接続され、第２の電気接続部は、他の端子よりもソケット部の突出ソケット部のより近くに設けられた接地端子と相互作用するように適合された端子を備える。
【００３１】
本発明の他の有利な例では、照明部は、接続凹部の周りに配置されたガスケットを備える。ガスケットは、照明部の閉位置において、第１の電気接続部の第２の電気接続部への接続と共に、照明部とソケット部との間の距離を定める。
【００３２】
本発明の有利な例では、照明装置は、照明部に配置された把持装置を備え、その把持装置は、ロボットが、照明部をソケット部に取り付ける、および、照明部をソケット部から取り外す際に把持するように意図されている。把持装置は、照明部とロボットとの間の回転相対移動を、方位方向および仰角方向の両方において可能にするように配置される。
【００３３】
配置とも称している取り付けおよび取り外しにおいて、ロボットは、把持装置を用いて、照明部が最初に実質的に鉛直に垂れ下がっている状態で照明部を把持装置内に保持し、把持装置の設計が方位方向および仰角方向における照明部のロボットに対する移動を許容しているおかげで、照明部をソケット部に意図した手法で持っていくロボットの移動によって、照明部を第１の開位置に配置できる。照明部のソケット部への取り付けは、第１の締結装置および第２の締結装置の相互作用、ならびに／または、第１の案内手段および第２の案内手段の相互作用によって可能とされ得る。
【００３４】
さらに、ロボットは、照明部のソケット部への取り付けにおいて、把持装置の設計が方位方向および仰角方向における照明部のロボットに対する移動を許容しているおかげで、照明部を保持するロボットの移動によって、照明部をその第１の開位置からその第２の開位置へと移動できる。照明部のソケット部への取り付けは、少なくとも第１の締結装置および第２の締結装置の相互作用によって可能とされる。
【００３５】
最後に、取り付けの間、ロボットは、把持装置の設計が仰角方向における照明部のロボットに対する移動を許容しているおかげで、ロボットの移動によって、照明部をその第２の開位置からその閉位置へと移動できる。照明部のソケット部への取り付けは、少なくとも第１の案内手段および第２の案内手段の相互作用によって可能とされる。
【００３６】
さらに、照明装置は保持器に配置されてもよく、それによって、ソケット部が保持器に対して配置された、照明装置および保持器を備える街路照明システムを構成してもよい。本発明の有利な例では、保持器は柱にさらに配置される。保持器は、柱以外のものに配置されてもよい。本発明の照明装置は、他の種類の保持器と共に使用することもできる。
【００３７】
ソケット部は、ソケット部が取り付けられ保持器に関するソケット部の傾斜の調節を可能にする手段をさらに備えてもよく、これは、地上面に対して照明装置の傾斜を調節する可能性をもたらす。
【００３８】
当技術分野における前述した問題は、高所に配置された照明装置を配置するように、つまり、組立および分解するように特に適合されたロボットを使用することで解決される。このロボットは、好ましくは、昇降機、クレーン、もしくは同様のものに、または、ワゴンブリッジ（ｗａｇｏｎ−ｂｒｉｄｇｅ）、作業台、もしくは目的のために適合された車両の同様のものに、配置される。ロボットは、好ましくは以下のものを備える。
上記のプラットフォームのいずれかに配置され、ロボットを鉛直方向、横方向、回転方向に移動したり、ロボットを傾けるなどしたりすることができるように適合され、それによって、ロボットヘッドを作業される照明装置などに直に隣接して位置付けできるアーム、
上記のロボットヘッドであって、ロボットアームに配置され、照明装置などの分解および／または組立のための少なくとも１つのロボットアームを備え、好ましくは、既存の照明装置の分解および新しい照明装置の組立が一段階で実施できるようにするために回転できるロボットヘッド、
上記の少なくとも１つのロボットアームであって、ロボットヘッドに配置され、少なくとも１つの把持装置を備え、把持装置と共に、さらに、既存の照明装置を把持して分解するために、および／または、新しい照明装置を組み立てるために適合されたロボットアーム、および
上記の少なくとも１つの把持装置であって、ロボットアームに配置され、分解されることになる照明装置、および／または、組み立てられることになる照明装置を把持することができるように適合された把持装置。さらに、ロボットは、好ましくは、遠隔制御され、既存の照明装置が分解される／新しい照明装置が組み付けられる保持器にロボットを固定するように適合された手段が設けられる。
【００３９】
ロボットが照明装置を組立および分解するために使用される場合、分解段階および組立段階は、あまりに複雑すぎるロボットを必要としてしまうため、多くの異なる複雑な段階を含んでいないことが必須条件である。また、過程によって影響される構成部品は、比較的堅牢であるべきである。
【００４０】
配置、つまり、組立、分解などに関する簡単化のため、および、本発明の照明装置が備える堅牢性のため、本発明の照明装置は、ロボットの使用による照明装置の組立および分解の概念と組み合わされるのに最適に適合されている。
【００４１】
簡単で素早く分解および組立が行われる照明装置は、組立／分解が人によって実施される場合でも有利であるが、作業を実施する人に反して、作業を実施する目的のために適合されたある種のロボットを使用する追加の利点は、ロボットが作業を実施する場合、照明装置を接地するために同じ必要性がないことである。
【００４２】
前述の例は、自由に組み合わせることができるが、別々にも起こり得る。
【００４３】
本発明を、以下において、図面を参照しつつより詳細に説明する。
【図面の簡単な説明】
【００４４】
【図１】本発明による照明装置の概略的な例の図である。
【図２】本発明による照明装置の別の概略的な例の図である。
【図３】本発明による照明部の概略的な例を下から斜めに見た図である。
【図４】本発明の概略的な例の後ろからの断面図である。
【図５】本発明の照明部の概略的な例の下からの図である。
【図６】本発明により、照明部の例がソケット部にどのように配置されるかの一連を概略的に示す図である。
【図７】本発明により、照明部の例がソケット部にどのように配置されるかの一連を概略的に示す図である。
【図８】本発明により、照明部の例がソケット部にどのように配置されるかの一連を概略的に示す図である。
【図９】本発明により、照明部の例がソケット部にどのように配置されるかの一連を概略的に示す図である。
【図１０】本発明により、照明部の例がソケット部にどのように配置されるかの一連を概略的に示す図である。
【図１１】本発明によるソケット部の概略的な例の図である。
【図１２】本発明によるソケット部の別の概略的な例の図である。
【発明を実施するための形態】
【００４５】
本発明の以下に記載した例は、例として見なされるだけであり、特許請求の範囲を限定すべきでは決してない。したがって、例は、制限的に解釈されるものではない。構成部品は、たとえ以下の図面に示されていなくても、本発明の一部であり得る。
【００４６】
図１は、照明部２０１およびソケット部３０１を備える本発明の照明装置１０１の例を、断面において示している。図１は、第２の開位置４０１にあるときの照明部を示しており、その第２の開位置４０１では、照明部２０１の第１の案内手段およびソケット部３０１の第２の案内手段は、照明部２０１を仰角方向においてソケット部３０１に向かって案内するために、相互作用する。さらに、図１は、ソケット部３０１の突出ソケット部５０１が、どのように照明部２０１の内部配置接触面６０１と相互作用し、照明部２０１がソケット部３０１に対して仰角方向においてその周りに移動できる接触の位置を形成するかを示している。
【００４７】
図２は、照明部２０２およびソケット部３０２を備える本発明の照明装置１０２の別の例を、断面において示している。図２は、第２の開位置４０２にあるときの照明部２０２を示しており、その第２の開位置４０２では、照明部２０２の第１の案内手段およびソケット部３０２の第２の案内手段は、照明部２０２を仰角方向においてソケット部３０２に向かって案内するために、相互作用する。さらに、図２は、例によるソケット部３０２の突出ソケット部５０２が、どのように照明部２０２の内部配置接触面６０２と相互作用し、照明部２０２がソケット部３０２に対して仰角方向においてその周りに移動できる接触の位置を形成しているかを示している。さらに、図２の例は、照明部２０２の第１の電気接続部７０２が、ソケット部３０２に配置された第２の電気接続部８０２にどのように接続されようとしているかを示している。図２では、照明部２０２に配置され、この場合には板バネの形態とされている第１の固定部材９０２と、ソケット部３０２に配置され、この例では、照明部２０２がその閉位置にあるときに照明部２０２をソケット部３０２に固定するために、第１の固定部材９０２と相互作用するように適合されたソケット部配置の凹部の形態の第２の固定部材１００２とを見ることもできる。これは、単に、相互作用する第１の固定部材９０２と第２の固定部材１００２とがどのように設計され得るかの例であり、相互作用する第１の電気接続部７０２と第２の電気接続部８０２とがどのように設計できるかの例である。さらに、図２は、ソケット部３０２が保持器１１０２の例にどのように配置されるかを示している。
【００４８】
図３は、下から斜めに見た本発明の照明部２０３の例を示している。図３の例では、上向きに先細な上方壁１３０３と下方の実質的に平行な壁１４０３とを備える第１の案内手段１２０３が示されている。例では、第１の締結装置１５０３の後壁１６０３がさらに示されている。図３による例では、フック部１７０３が後壁１６０３の下方部に配置されている。さらに、フック部１７０３は、図３によれば中央に位置付けられている。しかし、フック部１７０３は、１つまたは複数の部分の形態であるか、後壁１６０３において中央に、または、対称的に位置付けられるか、または、連続するフランジの形態であってもよい。さらに、内部配置接触面６０３は、フック部１７０３の上方に示されている。
【００４９】
図４は、照明部２０４がソケット部３０４に配置される照明装置１０４の例の断面を示している。さらに、図４は、照明部２０４の第１の案内手段１２０４が、上向きに先細な上方壁１３０４をどのように備えているかを示している。図４の例では、第１の案内手段の下方壁１４０４は上向きに先細でもあるが、本発明の他の例では、これらの壁は実質的に平行であってもよい。さらに、ソケット部３０４の第２の案内手段１８０４が示されている。上記の第２の案内手段１８０４は、上向きに先細な上方外側壁１９０４と実質的に平行な下方外側壁２００４とを備えている。図４の例では、第２の案内手段の下方外側壁２００４は上向きに先細でもあるが、本発明の他の例では、これらは実質的に平行であってもよい。照明部２０４の第１の案内手段１２０４は、第２の案内手段１８０４の上向きに先細な壁１９０４と下方外側壁２００４とが第１の案内手段１２０４の上向きに先細な上方壁１３０４と下方壁１４０４とに相互作用するように、ソケット部３０４の第２の案内手段１８０４に嵌まるように適合されており、そのため、少なくとも、仰角方向のみにおける照明部２０４とソケット部３０４との間の相対移動を可能にすることで照明部２０４が第２の開位置４０４から閉位置へと移動するとき、照明部２０４をソケット部３０４に向かって、特に水平方向において案内することに寄与している。
【００５０】
図５は、下から見た照明部２０５の例を示しており、第１の電気接続部７０５が照明部２０５に配置されている。図５の例では、第１の電気接続部７０５は２つの端子を備えているが、第１の電気接続部７０５は、照明装置に搭載される機能に応じて、さらに多くの端子を備えることもできる。第１の電気接続部７０５は、ソケット部に配置された第２の電気接続部と相互作用できるように配置されている。
【００５１】
図６は、照明部２０６がソケット部３０６に配置されようとしており、ソケット部３０６がさらに保持器１１０６に配置されている例を示している。図６は、構成部品と共に、断面において照明装置１０６を示している。
【００５２】
図７は、図６による照明部２０６が第１の開位置２１０６へとどのように配置されようとしているかを示している。照明部２０６のソケット部３０６への配置のこの段階において照明部２０６をソケット部３０６へと取り付ける際、照明部２０６の第１の締結装置１５０６はソケット部３０６の第２の締結装置２２０６と相互作用し、そのため、照明部２０６はソケット部３０６に対して横方向および長手方向において修正される。図７は、構成部品と共に、断面において照明装置１０６を示している。
【００５３】
さらに、図７では、照明部の示された中心線ａとソケット部の中心線ｂとを見ることができる。照明部および第１の締結装置１５０６の中心線ａに沿った最も長い距離と、ソケット部および第２の締結装置２２０６の中心線に沿った最も長い距離との間の距離は、第１の最小距離１ａ−ｂを提供する。
【００５４】
図８は、図６および図７による照明部２０６が第１の開位置２１０６にどのようにあるかを示している。この第１の開位置２１０６において、照明部２０６の内部配置接触面６０６は、ソケット部３０６の突出ソケット部５０６にもたれており、これは、照明部２０６の第１の締結装置１５０６がソケット部３０６の第２の締結装置２２０６と相互作用していることを意味し、これは、照明部２０６とソケット部３０６との間の回転相対移動を、方位方向および仰角方向の両方において可能にし、同時に、照明部２０６とソケット部３０６との間の長手方向での相対移動を固定する。図８は、構成部品と共に、断面において照明装置１０６を示している。
【００５５】
図９は、図６、図７、および図８による照明部２０６が第２の開位置４０６にどのようにあるかを示している。照明部２０６が第１の開位置から第２の開位置４０６へと移動するとき、照明部２０６とソケット部３０６との間の距離は、第１の開位置においてよりも第２の開位置４０６において小さく、照明部２０６の第１の案内手段は、少なくともソケット部３０６の第２の案内手段と相互作用して、照明部２０６をソケット部３０６に対して水平方向において修正する。図９は、構成部品と共に、断面において照明装置１０６を示している。
【００５６】
さらに、図９では、照明部の示された中心線ａとソケット部の中心線ｂとを見ることができる。照明部の中心線ａおよび第１の締結装置１５０６に沿った最も長い距離と、ソケット部および第２の締結装置２２０６の中心線に沿った最も長い距離との間の距離は、第２の最小距離２ａ−ｂを提供する。
【００５７】
図１０は、図６、図７、図８、および図９による照明部が閉位置２３０６にどのようにあるかを示している。さらに、図１０は、照明部２０６の第１の電気接続部７０６がソケット部の第２の電気接続部８０６にどのように接続されるか、および、本発明の照明装置１０６のこの例の照明部２０６の第１の固定部材９０６が本発明の照明装置１０６のこの例のソケット部３０６の第２の固定部材１００６とどのように連動されるかを示している。図６、図７、図８、図９、および図１０による例では、第１の固定部材９０６は照明部２０６からの突出弾性フランジの形態であり、また、第２の固定部材１００６は、第１の固定部材がもたれ得るソケット部３０６上に定められた接触面の形態だけであるが、第１の固定部材および第２の固定部材の他の構造も可能である。図１０は、構成部品と共に、断面において照明装置１０６を示している。
【００５８】
図１１は、上から見た例のソケット部３０７の例を示しており、例によるソケット部３０７は保持器１１０７に配置されている。さらに、図１１は、ソケット部３０７の突出ソケット部５０７およびソケット部３０７の第２の電気接続部８０７の例を示している。図１１による例では、第２の電気接続部８０７は２つの端子を備えているが、第２の電気接続部８０７は、照明装置に搭載される機能に応じて、さらに多くの端子を備えることもできる。第２の電気接続部８０７は、照明部に配置された第１の電気接続部と相互作用できるように配置されている。第２の電気接続部８０７が電線２４０７にどのように接続されるか、および、１つの電線が接地されていることも示されている。また、図１１は、ソケット部３０７が上向きに先細な上方外側壁２５０７と下方外側壁２６０７とを備えており、それらが図１１で示されたソケット部３０７の第２の案内手段１８０７の一部であることを示している。図１１による例では、下方外側壁２６０７も上向きに先細となっているが、本発明の照明装置の他の例では、これらは実質的に平行であり得る。
【００５９】
図１２は、上から見た例のソケット部３０８の別の例を示しており、例によるソケット部３０８は保持器１１０８に配置されている。さらに、図１２は、ソケット部３０８の突出ソケット部５０８およびソケット部３０８の第２の電気接続部８０８の別の例を示している。図１２による例では、第２の電気接続部は３つの端子を備えている。また、図１２は、ソケット部３０８が上向きに先細な上方外側壁２５０８と下方外側壁２６０８とを備えており、それらが図１２で示されたソケット部３０８の第２の案内手段１８０８の一部であることを示している。図１２による例では、下方外側壁２６０８も上向きに先細となっているが、本発明の照明装置の他の例では、これらは実質的に平行であり得る。
【符号の説明】
【００６０】
１０１〜１０４、１０６  照明装置
２０１〜２０６  照明部
３０１〜３０２、３０４、３０６〜３０８  ソケット部
４０１〜４０２、４０４、４０６  第２の開位置
５０１〜５０２、５０６〜５０８  突出ソケット部
６０１〜６０３、６０６  内部配置接触面
７０２、７０５〜７０６  第１の電気接続部
８０２、８０６〜８０８  第２の電気接続部
９０２、９０６  第１の固定部材
１００２、１００６  第２の固定部材
１１０２、１１０６〜１１０８  保持器
１２０３〜１２０４  第１の案内手段
１３０３〜１３０４  上方壁
１４０３〜１４０４  下方壁
１５０３、１５０６  第１の締結装置
１６０３  後壁
１７０３  フック部
１８０４、１８０７〜１８０８  第２の案内手段
１９０４  上方外側壁
２００４  下方外側壁
２１０６  第１の開位置
２２０６  第２の締結装置
２３０６  閉位置
２４０６  電線
２５０７〜２５０８  上方外側壁
２６０７〜２６０８  下方外側壁
１ａ−ｂ  第１の最小距離
ａ  照明部の中心線
２ａ−ｂ  第２の最小距離
ｂ  ソケット部の中心線
【図１】
2015506571.tif 000003
【図２】
2015506571.tif 000004
【図３】
2015506571.tif 000005
【図４】
2015506571.tif 000006
【図５】
2015506571.tif 000007
【図６】
2015506571.tif 000008
【図７】
2015506571.tif 000009
【図８】
2015506571.tif 000010
【図９】
2015506571.tif 000011
【図１０】
2015506571.tif 000012
【図１１】
2015506571.tif 000013
【図１２】
2015506571.tif 000014
【手続補正書】
【提出日】平成25年11月28日(2013.11.28)
【手続補正１】
【補正対象書類名】明細書
【補正対象項目名】全文
【補正方法】変更
【補正の内容】
【発明の詳細な説明】
【技術分野】
【０００１】
本発明は、照明部およびソケット部を備える屋外で使用するための照明装置であって、容易な取り付けおよび取り外しのための案内手段および締結装置を用いて、照明部がソケット部に容易に配置されるように適合された照明装置に関する。
【背景技術】
【０００２】
街路灯取付具における電球の交換は、従来から人によって行われており、人が、昇降機または同様物で街路灯取付具まで持ち上げられ、手作業で照明取付具を開け、次に電球を交換する。これには、いくつかの側面において問題がある。
【０００３】
最も明らかな側面は、作業が相当の高さにおいて実施されるときに、作業者が曝される危険性である。街灯柱の近辺において人員を高所に持ち上げることに伴う別の問題は、これらの街灯柱が架空電線路の近くにある場合に、一般的に架空電線路は絶縁されていないため、接触すると極めて危ないことである。これは、さらなる重大な危険性を表している。
【０００４】
高所で実施される作業に加えて、街灯柱での作業は、街灯柱が完全に固定されていないため、さらなる問題を引き起こすことになる。街灯柱が非常に高いことや街路灯取付具がしばしばかなりの重量であることに加えて、街灯柱が天候や風に曝されて受ける損傷により、街灯柱は本質的に揺れるものとなる。その結果、多くの場合で、街灯柱自体が、例えば街路灯取付具の交換といった際に、支持できなくなる。
【０００５】
また、照明機器／電球または街路灯取付具全体を交換する業務は、昇降機または同様物が街灯柱同士の間で移動されるときに、作業者を各業務の間に降下させる必要があるため、比較的長い時間を必要とする。ほとんど場合、昇降機または同様物は、街路照明が照らすように意図された車道上などを走行させる必要がある。この装置は、通常、非常に遅く、また、車道上で広い場所を必要とし、これは、昇降機または同様物と、作業を実施すると共に昇降機と運転席との間で移動する必要のある者とが衝突される危険性があるため、問題である。人員については、移動していない昇降機または同様物が持ち上げられた位置で衝突された場合、特に危険である。また、交通および交通の流れは、昇降機の存在によって悪影響を受け、それが、他の事故の危険性を増加させる可能性がある。
【０００６】
交通への影響を最小限とするために、作業は有利には夕刻から夜の時間に実施されるが、これは、実施する人員の観点からすれば常に好ましいとは限らない。
【０００７】
これらすべては、照明機器／電球または街路灯取付具全体を交換するために必要とされる時間が、絶対的な最小限に保たれるべきであることを暗示している。
【０００８】
照明機器／電球を交換するために必要とされる時間を最小限にする第１の段階は、照明機器／電球だけでなくより大きい装置を交換してしまうことである。より大きい装置は、照明機器／電球だけよりもしばしば堅牢に作ることができるし、取り付けおよび取り外しが容易となるように具体的に適合させることができる。
【発明の概要】
【発明が解決しようとする課題】
【０００９】
本発明の目的は、照明装置、特には、湿気、風、および他の外的ストレスに耐える照明取付具の能力に多大な要求を提起する高所に据え付けられる街路照明を、屋外で組み立てるための代替の手順を提供することである。本発明の照明装置は、これに持ちこたえるように設計される。屋外で使用するための照明装置は、例えば、容易で時間効率のよい組立および分解の可能性に関して、特別な要求を提起する。
【課題を解決するための手段】
【００１０】
本発明による課題の解決策が、請求項の特徴部に記載されている。さらなる請求項は、本発明の有利な態様およびさらなる発展形態を対象としている。
【００１１】
前述の問題は、照明部およびソケット部を備える屋外で使用するための照明装置を用いることで解決される。照明部は、照明機器、第１の電気接続部、および第１の固定部材を備える。ソケット部は第２の電気接続部および第２の固定部材を備え、第１の電気接続部および第２の電気接続部は、照明機器に電力を供給するために、閉位置で互いと接続するように配置され、さらに、第１の固定部材および第２の固定部材は、前記閉位置において、照明部をソケット部に固定および固定解除するために配置される。閉位置は、第１の固定部材および第２の固定部材によってソケット部に固定された照明部を含んでいる。閉位置において、照明部はソケット部と実質的に平行である。さらに、本発明の照明装置は、照明部が第１の締結装置を備え、ソケット部が第２の締結装置を備えることを特徴とする。これら第１の締結装置および第２の締結装置は、少なくとも照明部のソケット部への接続において、第１の開位置で照明部とソケット部との間の回転相対移動を方位方向および仰角方向の両方において可能にすることによって、ならびに、照明部とソケット部との間の長手方向での相対移動を同時に固定することによって、相互作用するように配置される。さらに、照明部は第１の案内手段を備え、ソケット部は第２の案内手段を備え、第１の案内手段および第２の案内手段は、少なくとも照明部のソケット部への接続において、第２の開位置で照明部とソケット部との間の相対移動を仰角方向のみにおいて可能にすることによって、相互作用するように配置される。この構造は、照明部をソケット部に容易に配置させることができる。この場合、方位方向は、水平面における点の周りの移動を表し、仰角方向は、鉛直面における点の周りの移動を表す。
【００１２】
照明装置に関する本発明の一例によれば、第１の開位置は、照明部の長手方向中心線とソケット部の長手方向中心線との間の、第１の締結装置および第２の締結装置からの最も長い距離で取られた第１の最小距離に関連する。第２の開位置は、照明取付具の長手方向中心線とソケット部の長手方向中心線との間の、第１の締結装置および第２の締結装置からの最も長い距離で取られた第２の最小距離に関連する。第２の最小距離は第１の最小距離より小さい。これは、照明部の第１の締結装置のみがソケット部の第２の締結装置と相互作用しているとき、照明部がソケット部に関して第１の開位置にあるとして表すこともできる。照明部は、ソケット部に近づいたとき、その第２の開位置にあり、照明部の第１の案内手段はソケット部の第２の案内手段と相互作用する。照明部は、ソケット部に配置されたとき、ソケット部に関して閉位置にある。
【００１３】
これは、照明部がソケット部に関して適応できる次の３つの異なる位置を明確にすることによって、明らかにできる。
第１の開位置は、少なくとも照明部の第１の締結装置とソケット部の第２の締結装置とが相互作用することで、水平方向における回転運動および鉛直方向における回転運動の両方を通じて、照明部がソケット部に対して案内されることを含む。
第２の開位置は、少なくとも照明部の第１の案内手段とソケット部の第２の案内手段とが相互作用することで、水平方向における回転運動を通じて、照明部がソケット部に対して案内され、照明部とソケット部との間の距離が、第１の開位置においてよりも第２の開位置において小さいことを含む。
閉位置では、照明部がソケット部と実質的に平行であり、照明部が第１の固定部材および第２の固定部材を用いることでソケット部に固定され、さらに、照明部に電力を供給するために、照明部の第１の電気接続部がソケット部の第２の電気接続部に接続される。
【００１４】
その結果、第１の開位置は、ソケット部への照明部の組付けの第１の局面を構成する。第２の開位置は、照明部とソケット部との間の距離が第１の開位置の場合よりも小さいとき、ソケット部への照明部の組付けの後の段階で生じる。閉位置では、照明部はソケット部に配置される。
【００１５】
本発明の有利な発展形態では、第１の案内手段は第１の締結装置に含まれ、第２の案内手段は第２の締結装置に含まれる。
【００１６】
本発明の別の有利な発展形態では、第１の案内手段および第２の案内手段は、第１の締結装置および第２の締結装置から所定の距離に設けられる。
【００１７】
本発明の有利な発展形態では、第１の固定部材および第２の固定部材は、第１の締結装置および第２の締結装置から所定の距離に設けられる。
【００１８】
本発明のさらなる有利な展開では、照明部は第１の締結装置を備え、その第１の締結装置は、内部配置接触面（ｉｎｔｅｒｎａｌｌｙ  ｌｏｃａｔｅｄ  ｃｏｎｔａｃｔ  ｓｕｒｆａｃｅ）を有する後壁を備える。後壁は、有利には、その下方部にフック部を備えており、曲げられた後壁、または、後壁の下方部に配置されている１つもしくは複数の別々の部品のいずれかから成る。また、後壁は、フック部がなくてもよい。
【００１９】
照明装置は、ソケット部に設けられると共にソケット部からの突出ソケット部を備える第２の締結装置をさらに備える。突出ソケット部は、照明部の後壁とうまく嵌まり合う形を有している。さらに、突出ソケット部は、照明部もしくはソケット部と実質的に同じ幅であるか、または、照明部とソケット部とのいずれかよりも狭いかのいずれかであり得る。突出ソケット部は、１つの連続する部品の代わりに、複数の突出する部品から組み立てられてもよい。突出ソケット部および内部配置接触面は、照明部が、第１の開位置から第２の開位置へと移動するときに、方位方向および仰角方向の両方においてソケット部に対する回転移動をその周りに実行できる接触の位置であって、照明部が、第２の開位置から閉位置へと移動するときに、仰角方向においてソケット部に対する回転移動をその周りに実行できる接触の位置を形成するために、相互作用できる。
【００２０】
本発明の有利な例では、第１の締結装置の内部配置接触面は、照明部から見たとき、後に向かって先細な形であり、第２の締結装置の突出ソケット部は、ソケット部から見たとき、後に向かって尖った形を有する。第１の締結装置の後に向かって先細な形と、第２の締結装置の後に向かって尖った形とは、照明部が第１の開位置でソケット部に対して配置されると、互いと相互作用して水平方向および鉛直方向において嵌まるように適合されている。
【００２１】
本発明の他の有利な例では、仰角方向における相対移動がその周りに起こり得る軸線を形成するために、照明部の２つの位置がソケット部の２つの位置と相互作用する。
【００２２】
本発明の一例では、照明部は、照明部の対称面の両側にその対称面から等距離に配置された２つの照明部位置を含む。これら２つの照明部位置は、第１の締結装置に近接して、上向きに先細となる筺体の内部に形成された内側面に配置される。２つの照明部位置は、ソケット部の外側面に沿って配置されると共にソケット部の対称面の両側にその対称面から等距離に配置された２つのソケット部位置と相互作用し、これら２つの照明部位置と２つのソケット部位置とは、相互作用でき、照明部がその第２の開位置にあるときに照明部とソケット部との間の仰角方向のみの相対移動がその周りに起こり得る回動軸線を形成できる。
【００２３】
本発明の有利な例では、照明部は第１の固定部材を備え、ソケット部は第２の固定部材を備え、第１の固定部材および／または第２の固定部材は、所定の負荷を受けるときに閉じることおよび開くことを許容する弾性手段から成る。
【００２４】
本発明の有利な例では、これらの弾性手段は、少なくとも１つの金属製の板バネによって構成される。弾性手段は、複数の板バネによって構成されてもよく、また、照明部の長手方向に対して、および、照明部の中心線に対しても直角な照明部の方向である照明部の幅方向において実質的に中央に配置されてもよく、照明部の縁のいずれかに向かってずらされてもよく、照明部の中心線と実質的に平行であってもよく、または、照明部の中心線の周りに対称であってもよい。
【００２５】
本発明の可能な例では、弾性手段は、照明部がその第２の開位置からその閉位置へと移動されるとき、ソケット部に対する照明部の配置において、ソケット部にもたれることができ、それによって、弾性手段は、長手方向において照明部をソケット部にさらに固定するソケット部の前方の当接面に力を働かせる。
【００２６】
本発明の有利な例では、第１の案内手段は、上向きに先細となる上方壁と、実質的に平行な下方壁とを備える筺体によって構成され、第２の案内手段は、ソケット部の長手方向に対して実質的に平行なソケット部の外側面によって構成され、外側面は、上向きに先細となる上方外側壁と、実質的に平行な下方外側壁とを備え、第１の案内手段は、第２の案内手段と相互作用するように適合される。第１の案内手段および第２の案内手段の相互作用する形は、第１の案内手段および第２の案内手段の両方が一致した先細となる表面を有する上方部と、実質的に平行な表面を持つ下方部とを備える場合、照明部とソケット部とは、照明部が仰角方向において第２の開位置から閉位置へと移動するとき、そしておそらく、照明部が仰角方向において第１の開位置から第２の開位置へと移動するときでさえ、幅方向において実質的に平行となるように、照明部をソケット部に向かって案内させる。第１の案内手段の下方の実質的に平行な壁は、若干上向きに先細であってもよく、また、第２の案内手段の実質的に平行な下方外側壁も、若干上向きに先細であってもよい。
【００２７】
他の有利な例では、照明部の筺体は、アルミニウムまたはプラスチック製であるが、照明装置が曝される外的ストレスに耐えることができる他の材料製であってもよい。
【００２８】
照明部をソケット部に関して正確に位置付けることができることは、多くの場合、照明部をソケット部に対して配置できることの必須条件であるが、それは、ソケット部が配置の最初の段階で照明部に最適に揃えられないためである。これは、ソケットが、例えば柱もしくは他の不完全に固定された構造物に、さらに取り付けられる場合、および／または、照明部が、ロボットなどの助けでソケット部に配置される場合に、特に重要である。
【００２９】
他の有利な例では、第１の電気接続部は接地端子を備え、第２の電気接続部は、接地端子と相互作用するように適合された端子を備える。
【００３０】
本発明のさらなる有利な例では、接地端子が、他の端子よりもソケット部の突出ソケット部のより近くに設けられることで、接地端子は、照明部の電気接続部におけるすべての接触のうち、先ずソケット部に接続され、第２の電気接続部は、他の端子よりもソケット部の突出ソケット部のより近くに設けられた接地端子と相互作用するように適合された端子を備える。
【００３１】
本発明の他の有利な例では、照明部は、接続凹部の周りに配置されたガスケットを備える。ガスケットは、照明部の閉位置において、第１の電気接続部の第２の電気接続部への接続と共に、照明部とソケット部との間の距離を定める。
【００３２】
本発明の有利な例では、照明装置は、照明部に配置された把持装置を備え、その把持装置は、ロボットが、照明部をソケット部に取り付ける、および、照明部をソケット部から取り外す際に把持するように意図されている。把持装置は、照明部とロボットとの間の回転相対移動を、方位方向および仰角方向の両方において可能にするように配置される。
【００３３】
配置とも称している取り付けおよび取り外しにおいて、ロボットは、把持装置を用いて、照明部が最初に実質的に鉛直に垂れ下がっている状態で照明部を把持装置内に保持し、把持装置の設計が方位方向および仰角方向における照明部のロボットに対する移動を許容しているおかげで、照明部をソケット部に意図した手法で持っていくロボットの移動によって、照明部を第１の開位置に配置できる。照明部のソケット部への取り付けは、第１の締結装置および第２の締結装置の相互作用、ならびに／または、第１の案内手段および第２の案内手段の相互作用によって可能とされ得る。
【００３４】
さらに、ロボットは、照明部のソケット部への取り付けにおいて、把持装置の設計が方位方向および仰角方向における照明部のロボットに対する移動を許容しているおかげで、照明部を保持するロボットの移動によって、照明部をその第１の開位置からその第２の開位置へと移動できる。照明部のソケット部への取り付けは、少なくとも第１の締結装置および第２の締結装置の相互作用によって可能とされる。
【００３５】
最後に、取り付けの間、ロボットは、把持装置の設計が仰角方向における照明部のロボットに対する移動を許容しているおかげで、ロボットの移動によって、照明部をその第２の開位置からその閉位置へと移動できる。照明部のソケット部への取り付けは、少なくとも第１の案内手段および第２の案内手段の相互作用によって可能とされる。
【００３６】
さらに、照明装置は保持器に配置されてもよく、それによって、ソケット部が保持器に対して配置された、照明装置および保持器を備える街路照明システムを構成してもよい。本発明の有利な例では、保持器は柱にさらに配置される。保持器は、柱以外のものに配置されてもよい。本発明の照明装置は、他の種類の保持器と共に使用することもできる。
【００３７】
ソケット部は、ソケット部が取り付けられ保持器に関するソケット部の傾斜の調節を可能にする手段をさらに備えてもよく、これは、地上面に対して照明装置の傾斜を調節する可能性をもたらす。
【００３８】
当技術分野における前述した問題は、高所に配置された照明装置を配置するように、つまり、組立および分解するように特に適合されたロボットを使用することで解決される。このロボットは、好ましくは、昇降機、クレーン、もしくは同様のものに、または、ワゴンブリッジ（ｗａｇｏｎ−ｂｒｉｄｇｅ）、作業台、もしくは目的のために適合された車両の同様のものに、配置される。ロボットは、好ましくは以下のものを備える。
上記のプラットフォームのいずれかに配置され、ロボットを鉛直方向、横方向、回転方向に移動したり、ロボットを傾けるなどしたりすることができるように適合され、それによって、ロボットヘッドを作業される照明装置などに直に隣接して位置付けできるアーム、
上記のロボットヘッドであって、前記アームに配置され、照明装置などの分解および／または組立のための少なくとも１つのロボットアームを備え、好ましくは、既存の照明装置の分解および新しい照明装置の組立が一段階で実施できるようにするために回転できるロボットヘッド、
上記の少なくとも１つのロボットアームであって、ロボットヘッドに配置され、少なくとも１つの把持装置を備え、把持装置と共に、さらに、既存の照明装置を把持して分解するために、および／または、新しい照明装置を組み立てるために適合されたロボットアーム、および
上記の少なくとも１つの把持装置であって、ロボットアームに配置され、分解されることになる照明装置、および／または、組み立てられることになる照明装置を把持することができるように適合された把持装置。さらに、ロボットは、好ましくは、遠隔制御され、既存の照明装置が分解される／新しい照明装置が組み付けられる保持器にロボットを固定するように適合された手段が設けられる。
【００３９】
ロボットが照明装置を組立および分解するために使用される場合、分解段階および組立段階は、あまりに複雑すぎるロボットを必要としてしまうため、多くの異なる複雑な段階を含んでいないことが必須条件である。また、過程によって影響される構成部品は、比較的堅牢であるべきである。
【００４０】
配置、つまり、組立、分解などに関する簡単化のため、および、本発明の照明装置が備える堅牢性のため、本発明の照明装置は、ロボットの使用による照明装置の組立および分解の概念と組み合わされるのに最適に適合されている。
【００４１】
簡単で素早く分解および組立が行われる照明装置は、組立／分解が人によって実施される場合でも有利であるが、作業を実施する人に反して、作業を実施する目的のために適合されたある種のロボットを使用する追加の利点は、ロボットが作業を実施する場合、照明装置を接地するために同じ必要性がないことである。
【００４２】
前述の例は、自由に組み合わせることができるが、別々にも起こり得る。
【００４３】
本発明を、以下において、図面を参照しつつより詳細に説明する。
【図面の簡単な説明】
【００４４】
【図１】本発明による照明装置の概略的な例の図である。
【図２】本発明による照明装置の別の概略的な例の図である。
【図３】本発明による照明部の概略的な例を下から斜めに見た図である。
【図４】本発明の概略的な例の後ろからの断面図である。
【図５】本発明の照明部の概略的な例の下からの図である。
【図６】本発明により、照明部の例がソケット部にどのように配置されるかの一連を概略的に示す図である。
【図７】本発明により、照明部の例がソケット部にどのように配置されるかの一連を概略的に示す図である。
【図８】本発明により、照明部の例がソケット部にどのように配置されるかの一連を概略的に示す図である。
【図９】本発明により、照明部の例がソケット部にどのように配置されるかの一連を概略的に示す図である。
【図１０】本発明により、照明部の例がソケット部にどのように配置されるかの一連を概略的に示す図である。
【図１１】本発明によるソケット部の概略的な例の図である。
【図１２】本発明によるソケット部の別の概略的な例の図である。
【発明を実施するための形態】
【００４５】
本発明の以下に記載した例は、例として見なされるだけであり、特許請求の範囲を限定すべきでは決してない。したがって、例は、制限的に解釈されるものではない。構成部品は、たとえ以下の図面に示されていなくても、本発明の一部であり得る。
【００４６】
図１は、照明部２０１およびソケット部３０１を備える本発明の照明装置１０１の例を、断面において示している。図１は、第２の開位置４０１にあるときの照明部を示しており、その第２の開位置４０１では、照明部２０１の第１の案内手段およびソケット部３０１の第２の案内手段は、照明部２０１を仰角方向においてソケット部３０１に向かって案内するために、相互作用する。さらに、図１は、ソケット部３０１の突出ソケット部５０１が、どのように照明部２０１の内部配置接触面６０１と相互作用し、照明部２０１がソケット部３０１に対して仰角方向においてその周りに移動できる接触の位置を形成するかを示している。
【００４７】
図１において、矢印は、参照符号αによって仰角方向における移動を示し、参照符号ＬＬによって長手方向における移動を示す。
【００４８】
図２は、照明部２０２およびソケット部３０２を備える本発明の照明装置１０２の別の例を、断面において示している。図２は、第２の開位置４０２にあるときの照明部２０２を示しており、その第２の開位置４０２では、照明部２０２の第１の案内手段およびソケット部３０２の第２の案内手段は、照明部２０２を仰角方向においてソケット部３０２に向かって案内するために、相互作用する。さらに、図２は、例によるソケット部３０２の突出ソケット部５０２が、どのように照明部２０２の内部配置接触面６０２と相互作用し、照明部２０２がソケット部３０２に対して仰角方向においてその周りに移動できる接触の位置を形成しているかを示している。さらに、図２の例は、照明部２０２の第１の電気接続部７０２が、ソケット部３０２に配置された第２の電気接続部８０２にどのように接続されようとしているかを示している。図２では、照明部２０２に配置され、この場合には板バネの形態とされている第１の固定部材９０２と、ソケット部３０２に配置され、この例では、照明部２０２がその閉位置にあるときに照明部２０２をソケット部３０２に固定するために、第１の固定部材９０２と相互作用するように適合されたソケット部配置の凹部の形態の第２の固定部材１００２とを見ることもできる。これは、単に、相互作用する第１の固定部材９０２と第２の固定部材１００２とがどのように設計され得るかの例であり、相互作用する第１の電気接続部７０２と第２の電気接続部８０２とがどのように設計できるかの例である。さらに、図２は、ソケット部３０２が保持器１１０２の例にどのように配置されるかを示している。
【００４９】
図３は、下から斜めに見た本発明の照明部２０３の例を示している。図３の例では、上向きに先細な上方壁１３０３と下方の実質的に平行な壁１４０３とを備える第１の案内手段１２０３が示されている。例では、第１の締結装置１５０３の後壁１６０３がさらに示されている。図３による例では、フック部１７０３が後壁１６０３の下方部に配置されている。さらに、フック部１７０３は、図３によれば中央に位置付けられている。しかし、フック部１７０３は、１つまたは複数の部分の形態であるか、後壁１６０３において中央に、または、対称的に位置付けられるか、または、連続するフランジの形態であってもよい。さらに、内部配置接触面６０３は、フック部１７０３の上方に示されている。
【００５０】
図４は、照明部２０４がソケット部３０４に配置される照明装置１０４の例の断面を示している。さらに、図４は、照明部２０４の第１の案内手段１２０４が、上向きに先細な上方壁１３０４をどのように備えているかを示している。図４の例では、第１の案内手段の下方壁１４０４は上向きに先細でもあるが、本発明の他の例では、これらの壁は実質的に平行であってもよい。さらに、ソケット部３０４の第２の案内手段１８０４が示されている。上記の第２の案内手段１８０４は、上向きに先細な上方外側壁１９０４と実質的に平行な下方外側壁２００４とを備えている。図４の例では、第２の案内手段の下方外側壁２００４は上向きに先細でもあるが、本発明の他の例では、これらは実質的に平行であってもよい。照明部２０４の第１の案内手段１２０４は、第２の案内手段１８０４の上向きに先細な壁１９０４と下方外側壁２００４とが第１の案内手段１２０４の上向きに先細な上方壁１３０４と下方壁１４０４とに相互作用するように、ソケット部３０４の第２の案内手段１８０４に嵌まるように適合されており、そのため、少なくとも、仰角方向のみにおける照明部２０４とソケット部３０４との間の相対移動を可能にすることで照明部２０４が第２の開位置から閉位置へと移動するとき、照明部２０４をソケット部３０４に向かって、特に水平方向において案内することに寄与している。
【００５１】
図４において、矢印は、角度βによって方位方向における移動を示す。図５は、下から見た照明部２０５の例を示しており、第１の電気接続部７０５が照明部２０５に配置されている。図５の例では、第１の電気接続部７０５は２つの端子を備えているが、第１の電気接続部７０５は、照明装置に搭載される機能に応じて、さらに多くの端子を備えることもできる。第１の電気接続部７０５は、ソケット部に配置された第２の電気接続部と相互作用できるように配置されている。
【００５２】
図６は、照明部２０６がソケット部３０６に配置されようとしており、ソケット部３０６がさらに保持器１１０６に配置されている例を示している。図６は、構成部品と共に、断面において照明装置１０６を示している。
【００５３】
図７は、図６による照明部２０６が第１の開位置２１０６へとどのように配置されようとしているかを示している。照明部２０６のソケット部３０６への配置のこの段階において照明部２０６をソケット部３０６へと取り付ける際、照明部２０６の第１の締結装置１５０６はソケット部３０６の第２の締結装置２２０６と相互作用し、そのため、照明部２０６はソケット部３０６に対して横方向および長手方向において修正される。図７は、構成部品と共に、断面において照明装置１０６を示している。
【００５４】
さらに、図７では、照明部の示された中心線ａとソケット部の中心線ｂとを見ることができる。照明部および第１の締結装置１５０６の中心線ａに沿った最も長い距離と、ソケット部および第２の締結装置２２０６の中心線に沿った最も長い距離との間の距離は、第１の最小距離１ａ−ｂを提供する。
【００５５】
図８は、図６および図７による照明部２０６が第１の開位置２１０６にどのようにあるかを示している。この第１の開位置２１０６において、照明部２０６の内部配置接触面６０６は、ソケット部３０６の突出ソケット部５０６にもたれており、これは、照明部２０６の第１の締結装置１５０６がソケット部３０６の第２の締結装置２２０６と相互作用していることを意味し、これは、照明部２０６とソケット部３０６との間の回転相対移動を、方位方向および仰角方向の両方において可能にし、同時に、照明部２０６とソケット部３０６との間の長手方向での相対移動を固定する。図８は、構成部品と共に、断面において照明装置１０６を示している。
【００５６】
図９は、図６、図７、および図８による照明部２０６が第２の開位置４０６にどのようにあるかを示している。照明部２０６が第１の開位置から第２の開位置４０６へと移動するとき、照明部２０６とソケット部３０６との間の距離は、第１の開位置においてよりも第２の開位置４０６において小さく、照明部２０６の第１の案内手段は、少なくともソケット部３０６の第２の案内手段と相互作用して、照明部２０６をソケット部３０６に対して水平方向において修正する。図９は、構成部品と共に、断面において照明装置１０６を示している。
【００５７】
さらに、図９では、照明部の示された中心線ａとソケット部の中心線ｂとを見ることができる。照明部の中心線ａおよび第１の締結装置１５０６に沿った最も長い距離と、ソケット部および第２の締結装置２２０６の中心線に沿った最も長い距離との間の距離は、第２の最小距離２ａ−ｂを提供する。
【００５８】
図１０は、図６、図７、図８、および図９による照明部が閉位置２３０６にどのようにあるかを示している。さらに、図１０は、照明部２０６の第１の電気接続部７０６がソケット部の第２の電気接続部８０６にどのように接続されるか、および、本発明の照明装置１０６のこの例の照明部２０６の第１の固定部材９０６が本発明の照明装置１０６のこの例のソケット部３０６の第２の固定部材１００６とどのように連動されるかを示している。図６、図７、図８、図９、および図１０による例では、第１の固定部材９０６は照明部２０６からの突出弾性フランジの形態であり、また、第２の固定部材１００６は、第１の固定部材がもたれ得るソケット部３０６上に定められた接触面の形態だけであるが、第１の固定部材および第２の固定部材の他の構造も可能である。図１０は、構成部品と共に、断面において照明装置１０６を示している。
【００５９】
図１１は、上から見た例のソケット部３０７の例を示しており、例によるソケット部３０７は保持器１１０７に配置されている。さらに、図１１は、ソケット部３０７の突出ソケット部５０７およびソケット部３０７の第２の電気接続部８０７の例を示している。図１１による例では、第２の電気接続部８０７は２つの端子を備えているが、第２の電気接続部８０７は、照明装置に搭載される機能に応じて、さらに多くの端子を備えることもできる。第２の電気接続部８０７は、照明部に配置された第１の電気接続部と相互作用できるように配置されている。第２の電気接続部８０７が電線２４０７にどのように接続されるか、および、１つの電線が接地されていることも示されている。また、図１１は、ソケット部３０７が上向きに先細な上方外側壁２５０７と下方外側壁２６０７とを備えており、それらが図１１で示されたソケット部３０７の第２の案内手段１８０７の一部であることを示している。図１１による例では、下方外側壁２６０７も上向きに先細となっているが、本発明の照明装置の他の例では、これらは実質的に平行であり得る。
【００６０】
図１２は、上から見た例のソケット部３０８の別の例を示しており、例によるソケット部３０８は保持器１１０８に配置されている。さらに、図１２は、ソケット部３０８の突出ソケット部５０８およびソケット部３０８の第２の電気接続部８０８の別の例を示している。図１２による例では、第２の電気接続部は３つの端子を備えている。また、図１２は、ソケット部３０８が上向きに先細な上方外側壁２５０８と下方外側壁２６０８とを備えており、それらが図１２で示されたソケット部３０８の第２の案内手段１８０８の一部であることを示している。図１２による例では、下方外側壁２６０８も上向きに先細となっているが、本発明の照明装置の他の例では、これらは実質的に平行であり得る。
【符号の説明】
【００６１】
１０１〜１０４、１０６  照明装置
２０１〜２０６  照明部
３０１〜３０２、３０４、３０６〜３０８  ソケット部
４０１〜４０２、４０４、４０６  第２の開位置
５０１〜５０２、５０６〜５０８  突出ソケット部
６０１〜６０３、６０６  内部配置接触面
７０２、７０５〜７０６  第１の電気接続部
８０２、８０６〜８０８  第２の電気接続部
９０２、９０６  第１の固定部材
１００２、１００６  第２の固定部材
１１０２、１１０６〜１１０８  保持器
１２０３〜１２０４  第１の案内手段
１３０３〜１３０４  上方壁
１４０３〜１４０４  下方壁
１５０３、１５０６  第１の締結装置
１６０３  後壁
１７０３  フック部
１８０４、１８０７〜１８０８  第２の案内手段
１９０４  上方外側壁
２００４  下方外側壁
２１０６  第１の開位置
２２０６  第２の締結装置
２３０６  閉位置
２４０６  電線
２５０７〜２５０８  上方外側壁
２６０７〜２６０８  下方外側壁
１ａ−ｂ  第１の最小距離
ａ  照明部の中心線
２ａ−ｂ  第２の最小距離
ｂ  ソケット部の中心線
【手続補正２】
【補正対象書類名】図面
【補正対象項目名】全図
【補正方法】変更
【補正の内容】
【図１】
2015506571.tif 000015
【図２】
2015506571.tif 000016
【図３】
2015506571.tif 000017
【図４】
2015506571.tif 000018
【図５】
2015506571.tif 000019
【図６】
2015506571.tif 000020
【図７】
2015506571.tif 000021
【図８】
2015506571.tif 000022
【図９】
2015506571.tif 000023
【図１０】
2015506571.tif 000024
【図１１】
2015506571.tif 000025
【図１２】
2015506571.tif 000026
【国際調査報告】
2015506571.tif 000027
2015506571.tif 000028
2015506571.tif 000029
2015506571.tif 000030